(57)【要約】
【課題】ベランダの有効スペースを狭くすることがなく、ベランダでの作業の邪魔になることもないベランダ用収納箱を提供すること。
【解決手段】昇降ガイドポスト１ａ〜１ｄに沿って収納箱本体２を昇降させる昇降機構３を備えたベランダ用収納箱であって、昇降機構３は、連結体４、４どうしの間に回動可能に設けられたねじ棒３ａと、ねじ棒３ａの左右両側にそれぞれ螺合された連結具３ｂ、３ｃと、連結具３ｂと収納箱本体２とを連結する第１のワイヤロープ３ｄと、連結具３ｃと収納箱本体２とを連結する第２のワイヤロープ３ｅと、ねじ棒ａを回転させる回転駆動機構３ｆとを備え、ねじ棒３ａは、左右方向の中間位置を境界にしてねじ山の回転方向が逆に形成されており、回転駆動機構３ｆによってねじ棒３ａを回転させることで、連結具３ｂ、３ｃをそれぞれ逆方向に移動させて収納箱本体２を昇降させるようにした。
【選択図】図１
0003100999.tif 000002
【実用新案登録請求の範囲】
【請求項１】
ベランダの前後左右の少なくとも４箇所においてベランダの床面と天井面との間に架け渡された昇降ガイドポストと、前記昇降ガイドポストに案内されながら昇降可能な収納箱本体と、前記収納箱本体を昇降させる昇降機構とを備えたベランダ用収納箱であって、
前記昇降ガイドポストのうち、前後に配置されている昇降ガイドポストの上部は、それぞれ連結体で連結されており、
前記昇降機構は、左右に配置されている前記連結体どうしの間に回動可能に設けられたねじ棒と、前記ねじ棒の左右両側にそれぞれ螺合された左右２つの連結具と、前記ねじ棒の左側に螺合されている前記連結具と前記収納箱本体の左側部とを前記連結体を経由して連結する第１のワイヤロープと、前記ねじ棒の右側に螺合されている前記連結具と前記収納箱本体の右側部とを前記連結体を経由して連結する第２のワイヤロープと、前記ねじ棒を回転させる回転駆動機構とを備え、
前記ねじ棒は、左右方向の中間位置を境界にしてねじ山の回転方向が逆に形成されており、
前記回転駆動機構によって前記ねじ棒を回転させることで、前記左右２つの連結具をそれぞれ逆方向に移動させて前記収納箱本体を昇降させるようにしたベランダ用収納箱。
【請求項２】
前記収納箱本体の左右の側部に、使用時に収納箱本体の下方に繰り出し可能な吊り竿フックを備えている請求項１に記載のベランダ用収納箱。
【請求項３】
収納箱本体に固定された固定係止板と、収納箱本体にリンクを介して取り付けられた可動係止板と、固定係止板と可動係止板とを常時は平行に位置決めする弾性材とからなる落下防止装置を備え、前記固定係止板と可動係止板の挿通孔内には昇降ガイドポストが挿通され、収納箱本体が落下したときに可動係止板の挿通孔の内周壁が昇降ガイドポストに係合するようになっている請求項１又は２に記載のベランダ用収納箱。
【考案の詳細な説明】
【技術分野】
【０００１】
本考案は、ベランダに設置される収納箱に関する。
【背景技術】
【０００２】
マンション等のベランダは、洗濯物を干すスペースとして利用されるほか、家財道具等を収納するスペースとしても利用されることが多い。その収納を効率的に行うために収納箱が利用されており、例えば、特許文献１には、ベランダの柵に取り付けて常備するようにした洗濯用小物の収納箱が開示されている。
【０００３】
しかし、特許文献１に開示されている収納箱は、ベランダの床上近傍に固定的に設置されるものであるので、ベランダの有効スペースが狭くなり、洗濯物を干す作業時などに邪魔になるという問題がある。
【特許文献１】実用新案登録第３０２３２０４号公報
【考案の開示】
【考案が解決しようとする課題】
【０００４】
本考案が解決しようとする課題は、ベランダの有効スペースを狭くすることがなく、ベランダでの作業の邪魔になることもないベランダ用収納箱を提供することにある。
【課題を解決するための手段】
【０００５】
本考案のベランダ用収納棚は、ベランダの前後左右の少なくとも４箇所においてベランダの床面と天井面との間に架け渡された昇降ガイドポストと、前記昇降ガイドポストに案内されながら昇降可能な収納箱本体と、前記収納箱本体を昇降させる昇降機構とを備えたベランダ用収納箱であって、前記昇降ガイドポストのうち、前後に配置されている昇降ガイドポストの上部は、それぞれ連結体で連結されており、前記昇降機構は、左右に配置されている前記連結体どうしの間に回動可能に設けられたねじ棒と、前記ねじ棒の左右両側にそれぞれ螺合された左右２つの連結具と、前記ねじ棒の左側に螺合されている前記連結具と前記収納箱本体の左側部とを前記連結体を経由して連結する第１のワイヤロープと、前記ねじ棒の右側に螺合されている前記連結具と前記収納箱本体の右側部とを前記連結体を経由して連結する第２のワイヤロープと、前記ねじ棒を回転させる回転駆動機構とを備え、前記ねじ棒は、左右方向の中間位置を境界にしてねじ山の回転方向が逆に形成されており、前記回転駆動機構によって前記ねじ棒を回転させることで、前記左右２つの連結具をそれぞれ逆方向に移動させて前記収納箱本体を昇降させるようにしたことを特徴とするものである。
【０００６】
本考案のベランダ用収納棚は、前記収納箱本体の左右の側部に、使用時に収納箱本体の下方に繰り出し可能な吊り竿フックを備えたものとすることができる。
【０００７】
また、本考案のベランダ用収納棚は、その収納箱本体に落下防止装置を備えたものとすることができる。この落下防止装置は、収納箱本体に固定された固定係止板と、収納箱本体にリンクを介して取り付けられた可動係止板と、固定係止板と可動係止板とを常時は平行に位置決めする弾性材とからなり、前記固定係止板と可動係止板の挿通孔内には昇降ガイドポストが挿通され、収納箱本体が落下したときに可動係止板の挿通孔の内周壁が昇降ガイドポストに係合するようになっている。
【考案の効果】
【０００８】
本考案のベランダ用収納箱によれば、収納箱本体を昇降させることができるので、収納箱本体に収納物を出し入れするとき以外は収納箱本体をベランダの上方に退避させることができ、ベランダのスペースを有効に使用することができる。
【０００９】
また、収納箱本体に吊り竿フックを備えたものでは、収納箱本体を上昇させた状態で吊り竿フックを収納箱本体の下方に繰り出して物干し竿を架け渡すようにすれば、収納箱本体の下方スペースを洗濯物の干場等として有効に使用することができる。
【００１０】
さらに、落下防止装置を備えたものでは、収納箱本体を吊り下げている第１又は第２のワイヤロープが不意に切断したとしても、収納箱本体の落下が防止され安全性が向上する。
【考案を実施するための最良の形態】
【００１１】
以下、図面に示す実施例に基づき、本考案の実施の形態を説明する。
【００１２】
図１は本考案に係るベランダ用収納箱を示す平面図、図２はその正面図、図３はその側面図である。
【００１３】
図１〜３に示すベランダ用収納箱は、ベランダの前後左右の４箇所においてベランダの床面と天井面との間に架け渡された４本の昇降ガイドポスト１ａ〜１ｄと、これらの４本の昇降ガイドポスト１ａ〜１ｄに案内されながら昇降可能な収納箱本体２と、収納箱本体２を昇降させる昇降機構３とを備えている。
【００１４】
４本の昇降ガイドポスト１ａ〜１ｄのうち、前後に配置されている１ａ、１ｂ及び１ｃ、１ｄの上部は、それぞれ連結体４、４で連結されている。
【００１５】
収納箱本体２は、その側面部の四隅部分に昇降ガイドローラ２ａが設けられており、この昇降ガイドローラ２ａが昇降ガイドポスト１ａ〜１ｄに沿って滑動することで収納箱本体２が昇降ガイドポスト１ａ〜１ｄに沿って円滑に昇降するようになっている。また、収納箱本体２は、仕切板２ｂによって区切られた２つの収納部２ｃを有し、各収納部２ｃは、開閉ドア２ｄを有している。各開閉ドア２ｄと各収納部２ｃとの間には開閉ドアダンパー２ｅが設けられおり、開閉ドア２ｄの開閉が円滑に行われるようになっている。
【００１６】
また、収納箱本体２の左右の側部には、各２つの吊り竿フック５が設けられており、この吊り竿フック５は、不使用時には収納箱本体２の側面部内に収まり、使用時には収納箱本体の下方に繰り出して物干し竿を架け渡すことができるようになっている。
【００１７】
昇降機構３は、上記の連結体４、４どうしの間に回動可能に設けられたねじ棒３ａと、このねじ棒３ａの左右両側にそれぞれ螺合された連結具３ｂ、３ｃと、ねじ棒３ａの左側に螺合されている連結具３ｂと収納箱本体２の左側部とを連結体４を経由して連結する第１のワイヤロープ３ｄと、ねじ棒３ａの右側に螺合されている連結具３ｃと収納箱本体２の右側部とを連結体４を経由して連結する第２のワイヤロープ３ｅと、ねじ棒３ａを回転させる回転駆動機構３ｆとを備えている。
【００１８】
昇降機構３のねじ棒３ａは、左右方向の中間位置を境界にしてねじ山の回転方向が逆に形成されている。実施例では、ねじ棒３ａの右半分が右ねじ、左半分が左ねじとされている。また、回転駆動機構３ｆは、回転ハンドル３ｆ−１と、回転ハンドル３ｆ−１とねじ棒３ａの右端部とを連結して回転ハンドル３ｆ−１の回転をねじ棒３ａに伝達するフレキシブルシャフト３ｆ−２とからなる。
【００１９】
以上の構成において、回転ハンドル３ｆ−１を左回り方向に回転させると、その回転がフレキシブルシャフト３ｆ−２を介してねじ棒３ａに伝達され、ねじ棒３ａはその軸線周りに左回り方向に回転する。これによって、ねじ棒３ａの左ねじ部分（左半分）に螺合されている連結具３ｂは、第１のワイヤロープ３ｄの張力によってねじ棒３ａと共に回転することなく右方向に移動する。これと同時に、ねじ棒３ａの右ねじ部分（右半分）に螺合されている連結具３ｃは、第２のワイヤロープ３ｅの張力によってねじ棒３ａと共に回転することなく左方向に移動する。このように、ねじ棒３ａの左回りの回転によって、左側の連結具３ｂは右方向に移動し、右側の連結具３ｃは左方向に移動してその間隔が狭まる。これによって、第１及び第２のワイヤロープ３ｄ、３ｅが同時に引き上げられ、収納箱本体２は傾くことなく上昇する。
【００２０】
収納箱本体２を下降させる場合には、回転ハンドル３ｆ−１を右回り方向に回転させてねじ棒３ａを右回り方向に回転させる。これによって、左側の連結具３ｂは左方向に移動し、右側の連結具３ｃは右方向に移動してその間隔が拡がり、第１及び第２のワイヤロープ３ｄ、３ｅが同時に引き下げられ、収納箱本体２は傾くことなく下降する。
【００２１】
ここで、本実施例では、第１のワイヤロープ３ｄ又は第２のワイヤロープ３ｅが切断したときに収納箱本体２が落下するのを防止するため、収納箱本体２に落下防止装置６が設けられている。
【００２２】
図４は落下防止装置６の構成を示すもので、（ａ）は平面図、（ｂ）は縦断面図である。落下防止装置６は、収納箱本体２に固定された固定係止板６ａと、収納箱本体２にリンク６ｃを介して取り付けられた可動係止板６ｂと、固定係止板６ａと可動係止板６ｂの先端どうしを連結する弾性材としてのバネ６ｄとからなる。固定係止板６ａと可動係止板６ｂは昇降ガイドポスト１ａ〜１ｄに挿通されており、その挿通孔６ａ−１、６ｂ−１の径は、昇降ガイドポスト１ａ〜１ｄの径よりも僅かに大きい程度に形成されている。また、固定係止板６ａと可動係止板６ｂは、常時は、バネ６ｄによって平行となるように位置決めされている。
【００２３】
以上の構成において、仮に第１のワイヤロープ３ｄ又は第２のワイヤロープ３ｅが切断した場合、収納箱本体２は急激に下降し、それに伴って固定係止板６ａ及び可動係止板６ｂの基端側は下降するが、可動係止板６ｂの先端側は取り残され、結果的に可動係止板６ｂは先端側が上になって傾斜した状態となる。これによって、可能係止板６ｂの挿通孔６ｂ−１の内周壁が昇降ガイドポスト１ａ〜１ｄに係合して、収納箱本体２はそれ以上下降しなくなり落下が防止される。
【００２４】
以上、実施例では、昇降ガイドポストをベランダの前後左右の４箇所にのみ設けたが、左右の昇降ガイドポストの中間位置等に補助的に昇降ガイドポストを設けてもよい。
【産業上の利用可能性】
【００２５】
本考案は、マンション等のベランダに設置される収納箱として利用可能である。
【図面の簡単な説明】
【００２６】
【図１】本考案に係るベランダ用収納箱を示す平面図である。
【図２】本考案に係るベランダ用収納箱を示す正面図である。
【図３】本考案に係るベランダ用収納箱を示す側面図である。
【図４】落下防止装置の構成を示し、（ａ）は平面図、（ｂ）は縦断面図である。
【符号の説明】
【００２７】
１ａ〜１ｄ  昇降ガイドポスト
２  収納箱本体
２ａ  昇降ガイドローラ
２ｂ  仕切板
２ｃ  収納部
２ｄ  開閉ドア
２ｅ  開閉ドアダンパー
３  昇降機構
３ａ  ねじ棒
３ｂ、３ｃ  連結具
３ｄ  第１のワイヤロープ
３ｅ  第２のワイヤロープ
３ｆ  回転駆動機構
３ｆ−１  回転ハンドル
３ｆ−２  フレキシブルシャフト
４  連結体
５  吊り竿フック
６  落下防止装置
６ａ  固定係止板
６ａ−１  挿通孔
６ｂ  可動係止板
６ｂ−１  挿通孔
６ｃ  リンク
６ｄ  バネ（弾性材）
【図１】
0003100999.tif 000003
【図２】
0003100999.tif 000004
【図３】
0003100999.tif 000005
【図４】
0003100999.tif 000006